(57)【特許請求の範囲】
【請求項１】
供給された原液を内部空間でろ過し、ろ過された後のろ液を内部空間から流出させるタンクと、
前記タンクの下側の前記内部空間に形成され、前記原液が供給される原液溜まり室と、
前記タンクの上側の前記内部空間に形成され、前記ろ液が集合されるろ液集合室と、
前記原液溜まり室と前記ろ液集合室とを仕切る仕切部材と、
長手方向の一端が閉じられた閉端部と、他端が開かれた開端部と、周面が前記原液を通してろ過するための通液部とを有し、前記開端部を前記ろ液集合室に連通させ、前記閉端部側を下側に向けて前記仕切部材に吊り下げられた筒状の第１ろ材と、
前記ろ材の周面をプレコートするための助剤及び前記原液を前記原液溜まり室に供給する供給手段に接続させる導入口と、
前記原液溜まり室に圧縮空気を送り込む圧縮空気供給部に接続させる圧縮空気導入口と、
前記ろ液を前記ろ液集合室から流出させるろ液流出口と、
前記原液液溜まり室の下部で前記第１ろ材よりも下側に設けられた第２ろ材と、
前記原液溜まり室に設けられ、前記第２ろ材によりろ過されたろ液を回収する回収手段に接続させる回収口と、
前記第１ろ材及び前記第２ろ材によりろ過されたろ液が流出された後に前記原液溜まり室に残留する原液及び助剤を排出させる残留物排出口と、を備え、
前記原液溜まり室の下部には、該原液溜まり室の底面部との間に隙間を空けて前記第２ろ材の上方及び周囲を覆うカバーを備え、前記導入口は前記タンクの底面部に設けられ、前記第２ろ材は、前記導入口の上側に配置されている、ことを特徴とするろ過装置。
【請求項２】
前記第２ろ材は、長手方向の一端が閉じられた閉端部と、他端が開かれた開端部と、周面が前記原液を通してろ過するための通液部とを有し、
前記回収口は、当該第２ろ材の前記開端部に連通されている、請求項１に記載のろ過装置。
【請求項３】
前記カバーは、前記第２ろ材の上方を覆う上面部と該第２ろ材の周囲を覆う周面部とから構成され、
前記上面部は、前記カバーの内外を連通する連通口と、該連通口を開閉するための開閉用スプールと、を備えている、請求項１又は２に記載のろ過装置。
【請求項４】
前記開閉用スプールは、前記カバーの内部に存在する液体の液位に応じて浮き沈みするフロートであり、該前記カバーの内部に存在する液体の液位に応じて前記連通口を開閉する、請求項３に記載のろ過装置。
【発明の詳細な説明】
【技術分野】
【０００１】
本発明は、ろ過装置に関し、さらに詳しくは、タンク内に助剤の層がプレコートされた複数のろ材が設けられ、このろ材に原液を通して原液から不要物をろ過するろ過装置に関する。
【背景技術】
【０００２】
ろ材の表面に珪藻土等の助剤の層をプレコートし、プレコートされた筒状のろ材に原液を通すことにより原液から不要物をろ過するろ過装置が従来から用いられている。表面がプレコートされたろ材を用いて原液をろ過した場合、ろ材を単独で用いて原液をろ過する場合に比べ、小さな粒径の固形物を捕捉することが可能になる。また、捕捉した固形物がろ材に直接触れることがないので、スラリーを分離等した後の固形分であるケーキの剥離性が向上し、助剤の層はろ材の目詰まりを起りにくくする。
【０００３】
ろ過装置を構成するタンクの内部空間は、２つの作用を奏する空間部分に区分けされて構成されている。１つ目の作用を奏する空間部分は、供給された原液が一時的に溜められる原液溜まり室である。２つ目の作用を奏する空間部分は、ろ過されたろ液が集められるろ液集合室である。
【０００４】
このようなろ過装置を利用して原液をろ過する場合、次の工程が実施される。まず、ろ過装置の原液溜まり室には、珪藻土等の助剤がタンクの内部に供給され、ろ材が助剤によりプレコートされる。次いで、原液溜まり室に原液が供給される。原液溜まり室に供給された原液は、プレコートされた複数のろ材を通されて、メインのろ過処理がなされる。ろ過されたろ液は、各ろ材からろ液集合室に集められた後に、ろ過装置の外に流出される。ろ過装置から流出されたろ液は、所定の場所に回収される。次いで、メインのろ過処理を終了したろ過装置のタンクの内部に残留している原液のろ過を行う。ろ過されたろ液は、ろ過装置から外に流出され、メインのろ過処理とは異なる経路を経て回収される。最後に、タンクの内部に残留する残留物がタンクから排出される。また、ろ材にプレコートされた助剤がろ材から剥離され、助剤がろ過装置から排出される。
【０００５】
こうしたろ過装置は、２種類のタイプに大別することができる。第１タイプのろ過装置は、タンク内部空間の上側の空間部分を原液溜まり室として構成し、下側の空間部分をろ液集合室として構成する形態である。第１タイプのろ過装置は、下側のろ液集合室にろ材の下端を取り付けて、上下方向に延びるようにしてろ材を配置して構成される。第２タイプのろ過装置は、タンクの内部を仕切部材で上側の空間部分と下側の空間部分とに仕切り、仕切部材よりも下側の空間部分を原液溜まり室として構成し、上側の空間部分をろ液集合室として構成する。ろ材は、その上部を仕切部材に取り付け、仕切部材から原液溜まり室に吊り下げられて構成される。
【０００６】
このような第１タイプのろ過装置及び第２タイプのろ過装置は、これまでに様々な文献により提案されている。
【０００７】
特許文献１には、第１タイプのろ過装置及び第２タイプのろ過装置の両方が提案されている。第１タイプのろ過装置は、ろ液集合室を原液溜まり室の下方に配置し、ろ材をろ液集合室から原液溜まり室内に向けて立設し、ろ材下端よりろ液を通すように構成されている。第２タイプのろ過装置は、ろ液集合室を原液溜まり室の上方に配置し、ろ材をろ液集合室から原液溜まり室内に向けて垂下し、ろ材を通してろ過されたろ液をろ材上端より取り出すように構成されている。
【０００８】
同文献により提案されている第２タイプのろ過装置の原液溜まり室には、開閉弁及び原液導入配管が接続されており、原液がこれらの原液導入配管及び開閉弁を介して原液溜まり室に供給される。また、原液溜まり室には、プレコートエア抜き配管路が設けられている。
【０００９】
原液溜まり室には、更に、その底部に着脱可能な、ろ紙、ろ布、ろ過用金網等からなる使い捨ての水平面状をなす第２のろ材が設けられている。そして、底面部には、開閉弁を介して回収ろ液導出配管路が設けられている。
【００１０】
一方、ろ液集合室には、ろ液導出配管路及び圧縮空気送入配管路が接続されている。
【００１１】
この第２タイプのろ過装置では、ろ過されたろ液をろ液集合室から流出させ、ろ液導出配管路を経由してろ液を回収した後、原液溜まり室に残留する原液をろ過し、そのろ液を回収する回収処理を行う。回収処理は、圧縮空気をろ液集合室に供給すると共に、回収ろ液導出開閉弁を開いて行う。圧縮空気は、ろ液集合室側からろ材に流れ、ろ材の内部から通液部を通って原液溜まり室に噴出する。原液溜まり室内の残留原液は、この圧縮空気の圧力により押圧され、原液溜まり室の底面部に設けた水平面状ろ材を通してろ過され、回収される。
【００１２】
特許文献２には、複数のろ過装置を用いて原液をろ過する装置が提案されている。この装置に用いられている各ろ過装置は、ろ液集合室を原液溜まり室の上方に配置し、ろ材をろ液集合室から原液溜まり室内に向けて垂下し、ろ材を通してろ過されたろ液をろ材上端より取り出す第２タイプのろ過装置である。
【先行技術文献】
【特許文献】
【００１３】
【特許文献１】特開平１１−１１４３２９号公報
【特許文献２】特開２０１３−３１８１９号公報
【発明の概要】
【発明が解決しようとする課題】
【００１４】
上述した特許文献１や特許文献２により提案されているろ過装置において、原液溜まり室に残留する原液のろ過処理を行う場合、圧縮空気をろ液集合室に供給側から原液溜まり室に供給している。残留する原液は、圧縮空気の圧力によって、第２のろ材に通されて、ろ過処理が行われる。その際、回収しようとしている原液に圧縮空気が混ざってしまい、原液だけを回収することが困難であった。また、圧縮空気はろ材を通してろ液集合室から原液溜まり室に送られるので、圧縮空気がろ材を通るときにろ材の表面に形成された助剤の層が破壊され、助剤が原液に混入してしまい、回収された原液の清澄性が低下していた。
【００１５】
本発明は上記課題を解決するためになされたものであり、その目的は、タンク内が加圧された状態を維持しながら圧縮空気が混入した原液を回収してしまうことを抑制し、かつ、剥離した助剤が混入していない原液を回収することができるろ過装置を提供することにある。
【課題を解決するための手段】
【００１６】
上記課題を解決するための本発明に係るろ過装置は、供給された原液を内部空間でろ過し、ろ過された後のろ液を内部空間から流出させるタンクと、前記タンクの下側の前記内部空間に形成され、前記原液が供給される原液溜まり室と、前記タンクの上側の前記内部空間に形成され、前記ろ液が集合されるろ液集合室と、前記原液溜まり室と前記ろ液集合室とを仕切る仕切部材と、長手方向の一端が閉じられた閉端部と、他端が開かれた開端部と、周面が前記原液を通してろ過するための通液部とを有し、前記開端部を前記ろ液集合室に連通させ、前記閉端部側を下側に向けて前記仕切部材に吊り下げられた筒状の第１ろ材と、前記ろ材の周面をプレコートするための助剤及び前記原液を前記原液溜まり室に供給する供給手段に接続させる導入口と、前記原液溜まり室に圧縮空気を送り込む圧縮空気供給部に接続させる圧縮空気導入口と、前記ろ液を前記ろ液集合室から流出させるろ液流出口と、前記原液液溜まり室の下部で前記第１ろ材よりも下側に設けられた第２ろ材と、前記原液溜まり室に設けられ、前記第２ろ材によりろ過されたろ液を回収する回収手段に接続させる回収口と、前記第１ろ材及び前記第２ろ材によりろ過されたろ液が流出された後に前記原液溜まり室に残留する原液及び助剤を排出させる残留物排出口と、を備え、前記原液溜まり室の下部には、該原液溜まり室の底面部との間に隙間を空けて前記第２ろ材の上方及び周囲を覆うカバーを備えていることを特徴とする。
【００１７】
この発明によれば、原液溜まり室の下部に、原液溜まり室の底面部との間に隙間を空けて第２ろ材の上方及び周囲を覆うカバーを備えているので、原液溜まり室に残存する原液を第２ろ材でろ過するときに、カバーの周囲を回り込ませて原液を第２ろ材に到達させ、原液が回り込んでいる間に、原液に含まれている空気を脱気させることができる。また、カバーは、第１ろ材から剥離した助剤をブロックし、第２ろ材に助剤が到達することを抑制することができる。
【００１８】
本発明に係るろ過装置において、前記導入口は前記タンクの底面部に設けられ、前記第２ろ材は、前記導入口の上側に配置されている。
【００１９】
この発明によれば、導入口から助剤を導入させたときに、第１ろ材だけでなく、第２ろ材の周面にも助剤をプレコートすることができる。
【００２０】
本発明に係るろ過装置において、前記第２ろ材は、長手方向の一端が閉じられた閉端部と、他端が開かれた開端部と、周面が前記原液を通してろ過するための通液部とを有し、前記回収口は、当該第２ろ材の前記開端部に連通されている。
【００２１】
この発明によれば、メインのろ過処理のときだけなく、メインのろ過処理が終了した後にろ液溜まり室に残存する原液を、第２ろ材の外側から内側に通してろ過し、第１ろ材でろ過したろ液とは別の経路でろ液を回収することができる。
【００２２】
本発明に係るろ過装置において、前記カバーは、前記第２ろ材の上方を覆う上面部と該第２ろ材の周囲を覆う周面部とから構成され、前記上面部は、前記カバーの内外を連通する連通口と、該連通口を開閉するための開閉用スプールと、を備えている。
【００２３】
この発明によれば、連通口を開くことによりカバー内に存在する空気を逃がすことができる一方で、連通口を閉じることにより、第１ろ材から剥離した助剤が連通口からカバーの内部に浸入することを防止することができる。
【００２４】
本発明に係るろ過装置において、前記開閉用スプールは、前記カバーの内部に存在する液体の液位に応じて浮き沈みするフロートであり、該前記カバーの内部に存在する液体の液位に応じて前記連通口を開閉する。
【００２５】
この発明によれば、原液溜まり室の内部に原液を導入したときに、原液の液位が一定の高さの位置を通過するまで連通口の位置に開閉用スプールが到達していないので、連通口を開かせておくことができる。そのため、液位の上昇に伴って、カバーの内部に存在する空気を連通口からカバーの外に逃がすことができる。また、メインとなるろ過処理が終了した後に、原液溜まり室に残存する原液をろ過する際に、原液の液位が一定の高さよりも高い位置に存在する間、開閉用スプールが連通口を閉じている。そのため、第１ろ材から助剤が剥離した場合でも、連通口から助剤がカバーの内部に浸入することを抑制することができる。
【発明の効果】
【００２６】
本発明によれば、タンクの内部に圧縮空気を供給して加圧された状態を維持しつつ、原液がカバーを迂回してカバーの内部に進む間に原液に混ざり合った圧縮空気が原液から抜け、圧縮空気が混入していない原液を回収することが可能になる。また、ろ材から剥がれ落ちた助剤は、カバーによって第２ろ材に到達するこが防止されるので、回収した原液の清澄性を向上させることができる。
【図面の簡単な説明】
【００２７】
【図１】本発明のろ過装置を模式的に示した模式図である。
【図２】図１に使用されているカバーの構造を示す構造図である。
【図３】助剤を導入する工程を説明する説明図である。
【図４】原液を導入する工程を説明する説明図である。
【図５】原液をろ過する工程を説明する説明図である。
【図６】第２ろ材を用いて残存する原液をろ過して回収する工程を示す説明図である。
【図７】残留物を排出する工程を説明する説明図である。
【発明を実施するための形態】
【００２８】
以下、本発明の実施形態について図面を参照しながら説明する。なお、本発明の技術的範囲は、以下の記載や図面のみに限定されるものではない。
【００２９】
［基本構成］
本発明に係るろ過装置１は、タンク内に助剤の層がプレコートされた複数のろ材が設けられ、このろ材に原液を通して原液から不要物をろ過するろ過装置である。このろ過装置１は、図１に示すように、タンク１０、原液溜まり室１１、ろ液集合室１２、仕切部材１３、第１ろ材４０、導入口２１、圧縮空気導入口２２、ろ液流出口３１、第２ろ材４５、回収口３３、残留物排出口３４及びカバー５０を備えている。
【００３０】
タンク１０は、供給された原液を内部空間でろ過し、ろ過された後のろ液を内部空間から流出させる構成部である。このタンク１０の内部空間は、原液溜まり室１１とろ液集合室１２とに仕切られている。原液溜まり室１１は、タンク１０の下側の内部空間に形成されており、原液が供給される。ろ液集合室１２は、タンク１０の上側の内部空間に形成され、ろ液が集合される。仕切部材１３は、こうした原液溜まり室１１とろ液集合室１２とを仕切っている。
【００３１】
第１ろ材４０は、細長い筒状をなしており、長手方向の一端が閉じられた閉端部４１と、他端が開かれた開端部４２と、前記原液を通してろ過する、周面に設けられた通液部４３とを有している。この第１ろ材４０は、開端部４２がろ液集合室１２に連通されており、閉端部４１側が下側に向けられて仕切部材１３に吊り下げられている。本明細書において「連通」とは、２つの空間の間で、液体等が流通することができるようにつなぐことを意味する。
【００３２】
導入口２１は、第１ろ材４０及び第２ろ材４５の周面をプレコートするための助剤及び原液を原液溜まり室１１に供給する供給手段７１，７２に接続させるための部位である。圧縮空気導入口２２は、原液溜まり室１１に圧縮空気を送り込む圧縮空気供給手段７３に接続させるための部位である。ろ液流出口３１は、ろ液をろ液集合室１２から流出させるろ液流出手段７４に接続するための部位である。
【００３３】
第２ろ材４５は、原液液溜まり室１１の下部で第１ろ材４０よりも下側に設けられている。回収口３３は、原液溜まり室１１に設けられており、第２ろ材４５によりろ過されたろ液を回収する回収手段７５に接続されている。残留物排出口３４は、第１ろ材４０及び第２ろ材４５によりろ過されたろ液が流出された後に原液溜まり室１１に残留する原液及び助剤を排出させる残留物排出手段７６に接続させるための部位である。
【００３４】
このろ過装置１は、さらに、原液溜まり室１１の下部に、原液溜まり室１１の底面部１０ａとの間に隙間を空けて第２ろ材４５の上方及び周囲を覆うカバー５０を備えている。
【００３５】
こうしたろ過装置１は、食品分野、化学分野、医療分野及びその他の分野で用いることができる。食品分野でろ過装置１を用いる場合、ろ過装置１は、例えば、ビール、ワイン、酒、食酢、醤油、緑茶、液糖、コーヒー及び紅茶等をろ過することに用いることができる。化学分野又は医療分野のろ過装置１を用いる場合、ろ過装置１は、医薬原料の精製や化成品の回収、触媒等微細粒子の除去及び回収、薬草等抽出工程での使用、塗料の回収、糖類等高粘度物質の回収、高温液体の回収、漢方エキスの回収、アクリロニトリルとブタジエンとスチレンとの３成分からなる熱可塑性樹脂であるＡＢＳ樹脂の回収、並びにポリエチレンテレフタラート（ＰＥＴ）樹脂等の粉末の回収に用いることができる。その他の産業分野でろ過装置１を用いる場合、ろ過装置１は、例えば、ボイラー循環水のクリンアップ、石油の精製工程、脱色や吸着用の活性炭の除去、及び研磨剤や潤滑剤の循環利用等に用いることができる。
【００３６】
本発明に係るろ過装置１によれば、タンク１０の内部に圧縮空気を供給して加圧された状態を維持しつつ、原液がカバー５０を迂回してカバー５０の内部に進む間に原液に混ざり合った圧縮空気が原液から抜け、圧縮空気が混入していない原液を回収することが可能になるという特有の効果を奏する。また、ろ材から剥がれ落ちた助剤は、カバー５０によって第２ろ材４５に到達することが防止されるので、回収した原液の清澄性を向上させることができるという特有の効果も奏する。
【００３７】
以下、ろ過装置１の各構成について、図面を適宜に参照しながら説明する。
【００３８】
［タンク］
タンク１０は、ろ過装置１の外殻を構成している。タンク１０は、外形が筒状をなしており、天面部１０ｃ、周面部１０ｂ及び底面部１０ａが一体化されて構成されている。天面部１０ｃは、ドーム状をなしており、後述するろ液流出口３１が設けられている。天面部１０ｃの外周縁は、周面部１０ｂの上端部と切れ目無く連続してつながれている。周面部１０ｂは、横断面の形状が円形をなしており、上下方向にストレートに延び、周方向に湾曲する曲面によって構成されている。この周面部１０ｂの上部には、後述する圧縮空気導入口２２とエア抜き口３２とが設けられている。底面部１０ａは、周面部１０ｂの下端につながれており、周面部１０ｂにつながれた部位から下側に向かって傾斜する傾斜面によって構成されている。この底面部１０ａの最も下側をなす最下部には、後述する導入口２１、残留物排出口３４が設けられている。一方、底面部１０ａの傾斜の途中の部位には、回収口３３が設けられている。底面部１０ａは、具体的に、円錐を逆さまにした形状をなし、下側中央に向かって先細りとなるように形成されている。
【００３９】
こうしたタンク１０の内部空間は、仕切部材１３によって原液溜まり室１１と、ろ液集合室１２と、に仕切られている。
【００４０】
［原液溜まり室］
原液溜まり室１１は、原液を供給する原液供給手段７２から供給された原液が導入される空間である。原液溜まり室１１は、タンク１０の高さ方向において、タンク１０の周面部１０ｂの位置及び底面部１０ａの位置に対応する領域を占めている。また、原液溜まり室１１は、助剤供給手段７１から供給された助剤が導入され、導入された助剤により第１ろ材４０及び第２ろ材４５の周面をプレコートするための空間でもある。
【００４１】
この原液溜まり室１１には、導入口２１、回収口３３及び残留物排出口３４が底面部１０ａの位置に設けられている。
【００４２】
＜導入口＞
導入口２１は、原液を供給するための原液供給手段７２及び助剤を供給するための助剤供給手段７１につながれている。導入口２１は、底面部１０ａの最下部に設けられており、最下部から更に下側に向けて延びる第１配管２１ａと、第１配管２１ａから側方に向けて延びる第２配管２１ｂとにより構成されている。第２配管２１ｂの先端には開閉バルブ６０が設けられており、原液供給手段７２及び助剤供給手段７１から延びる配管等は、この開閉バルブ６０を介して導入口２１に接続されている。
【００４３】
ここで原液供給手段７２及び助剤供給手段７１について、図３から図７を参照して、説明する。
【００４４】
原液供給手段７２は、原液が貯蔵された原液タンク（図示せず。）や、原液をろ過装置１に送り出すためのポンプ８０等を有している。原液タンクとポンプ８０との間には開閉バルブ６０が設けられている。この開閉バルブ６０は、開かれたり閉じられたりすることにより、原液が原液タンクから送り出されることを許容したり停止したりしている。
【００４５】
原液供給手段７２は、原液タンクからろ過装置１に供給する原液の流量を制御するための流量制御手段８１を備えている。流量制御手段８１は、流量計８４、コントローラ８３及びインバータ８２を有しており、供給される原液の流量を測定し、測定結果に基づいてポンプ８０の回転数を制御してポンプ８０が送り出す原液の流量を制御している。
【００４６】
助剤供給手段７１は、助剤が貯蔵された助剤タンク（図示せず。）や、助剤をろ過装置１に送り出すポンプ８０等を備えている。助剤タンクとポンプ８０との間には開閉バルブ６０が設けられていて、この開閉バルブ６０が助剤タンクから助剤を送り出されることを許容したり停止したりしている。
【００４７】
原液供給手段７２と助剤供給手段７１とは各開閉バルブ６０とポンプ８０との間で配管が接続されており、１つのポンプ８０が原液と助剤とをろ過装置１に送り出している。すなわち、原液供給手段７２のポンプ８０と助剤供給手段７１のポンプ８０とは兼用して利用されている。また、流量制御手段８１についても、原液供給手段７２と助剤供給手段７１とは１つの流量制御手段８１を兼用している。
【００４８】
＜回収口＞
回収口３３は、メインのろ過処理の間、及びメインのろ過処理を終了した後に、タンク１０の原液溜まり室１１に残留する原液を第２ろ材４５でろ過し、第２ろ材４５でろ過されたろ液を、第１ろ材でろ過したろ液の経路とは別の経路で回収するための回収手段７５に接続されている。
【００４９】
回収口３３は、底面部１０ａの傾斜面の位置に設けられている。回収口３３は、底面部１０ａの傾斜面からろ過装置１の側方に向けて突出する配管等により構成されている。回収口３３は、タンク１０の内部にて第２ろ材４５に接続されている一方で、先端部には開閉バルブ６０が取り付けられている。ろ液を回収するための回収手段７５は、開閉バルブ６０を介して回収口３３に接続されている。
【００５０】
回収手段７５は、流量制御手段９５を備えており、回収口３３から流出されるろ液の流量を制御している。流量制御手段９５は、配管を流れるろ液の流量を測定する流量計９６と、配管を流れるろ液の流量を調整する流量調整弁９８と、流量計９６の測定結果に基づいて流量調整弁９８の開度を制御するコントローラ９７とによって構成されている。
【００５１】
＜残留物排出口＞
残留物排出口３４は、ろ過処理が終了した後に、ろ過することができずに原液溜まり室１１に残留する原液並びに、第１ろ材４０及び第２ろ材４５から剥離した助剤を原液溜まり室１１から排出するための残留物排出手段７６に接続されている。この残留物排出口３４は、底面部１０ａの最下部から下側に延びる配管２１ａと兼用されている。残留物排出口３４の先端には開閉バルブ６０が設けられており、残留物排出手段７６はこの開閉バルブ６０を介して残留物排出口３４に接続されている。
【００５２】
この残留物排出口３４を構成している配管２１ａの長手方向の中間部分には、上述した導入口２１を構成している第２配管２１ｂが接続されている。すなわち、このろ過装置１では、原液をろ過装置１の最も下側に位置する底面部１０ａの最下部から原液溜まり室１１に導入させる一方で、底面部１０ａの最下部から原液溜まり室１１に残留する原液を原液溜まり室１１から排出させている。
【００５３】
［ろ液集合室］
ろ液集合室１２は、複数の第１ろ材４０によってろ過されたろ液が集合される空間である。ろ液集合室１２は、タンク１０の内部空間において、タンク１０の高さ方向の天面部１０ｃの位置に対応する領域を占めている。
【００５４】
＜圧縮空気導入口＞
圧縮空気導入口２２は、タンク１０の内部に圧縮空気を供給するための圧縮空気供給手段７３に接続される。圧縮空気導入口２２は、周面部１０ｂにおける、天面部１０ｃと周面部１０ｂとの境界部よりも若干下側の位置にてタンク１０の外側に向けて突出して設けられている。図１に示したろ過装置１の例では、圧縮空気導入口２２は、周面部１０ｂから外側に向かって突出する第１配管２２ａと、第１配管２２ａの先端で第１配管２２ａに対し直交する向きに交差してなる第２配管２２ｂとから構成されている。第２配管２２ｂの両端には開閉バルブ６０がそれぞれ設けられている。
【００５５】
圧縮空気供給手段７３は、例えばコンプレッサー等が用いられる。圧縮空気供給手段７３は、供給する圧縮空気の圧力を設定するための圧力設定手段９０を備えている。圧力設定手段９０は、圧力計９１とリリーフバルブ９２とを有している。リリーフバルブ９２は、供給する圧縮空気が所望の圧力に上昇したときに、供給している圧縮空気を外部に放出することによって、供給する圧縮空気が所望の圧力よりも高い圧力に上昇することを防止するバルブである。このリリーフバルブ９２のリリーフ圧は自由に設定することができるように構成されている。
【００５６】
この圧縮空気供給手段７３は、圧縮空気導入口２２を構成する第２配管２１ｂの先端に設けられた開閉バルブ６０を介して圧縮空気導入口２２に接続されている。図３から図７に示した例では、圧縮空気供給手段７３は、２個の開閉バルブ６０のうち一方の開閉バルブ６０を介して圧縮空気導入口２２に接続されている。
【００５７】
なお、図示した例では、圧縮空気導入口２２は、周面部１０ｂから外側に向かって突出する第１配管２２ａと、第１配管２２ａの先端で第１配管２２ａに対し直交する向きに交差してなる第２配管２２ｂとから構成されている。ただし、圧縮空気導入口２２の形態は、図示した形態には限定されない。例えば、周面部１０ｂから外側に向かって突出する１つの配管だけを設け、その配管の先端に開閉バルブ６０を設けることによって、圧縮空気導入口２２を構成することもできる。
【００５８】
＜ろ液流出口＞
ろ液流出口３１は、複数の第１ろ材４０によりろ過されてろ液集合室１２に集められたろ液をろ過装置１の外部に流出するための部位である。ろ液流出口３１は、天面部１０ｃの最も上側に位置する頂部に設けられている。図示した例では、ろ液流出口３１は、アルファベットの「Ｔ」字形に形成されており、天面部１０ｃの頂部から上側に向けて延びる第１配管３１ａと、第１配管３１ａの上端にて第１配管３１ａに対して直交する方向に延びる第２配管３１ｂとにより構成されている。第２配管３１ｂの両端には開閉バルブ６０がそれぞれ設けられている。ろ液を回収するための回路７４は、開閉バルブ６０を介してろ液流出口３１に接続されている。
【００５９】
なお、図示した例では、ろ液流出口３１は、「Ｔ」字に形成された配管により構成されている。ただし、圧縮空気導入口２２の形態は、図示した形態には限定されない。例えば、天面部１０ｃの頂部から上側に向かって突出する１つの配管だけを設け、その配管の先端に開閉バルブ６０を設けることによって、構成することもできる。
【００６０】
＜エア抜き口＞
エア抜き口３２は、助剤供給手段７１から助剤を原液溜まり室１１に供給し、第１ろ材４０及び第２ろ材４５の周面をプレコートする際に、タンク１０の内部に溜まった空気をタンク１０の外に流出する際に使用される。
【００６１】
エア抜き口３２は、天面部１０ｃと周面部１０ｂとの境界部分よりも若干下側の位置に設けられている。エア抜き口３２は、周面部１０ｂからろ過装置１の外側に向かって突出する配管により構成されており、その先端には開閉バルブ６０が取り付けられている。
【００６２】
エア抜き口３２は、メインのろ過が終了した後に、圧縮空気をタンク１０内に送り込んだとき、タンク１０の原液溜まり室１１に溜まった原液を空気と共にエア抜き口３２から排出して再びろ過するときに利用することもできる。エア抜き口３２を利用してろ過するときの作用については、後に具体的に説明する。
【００６３】
［仕切部材］
仕切部材１３は、タンク１０の内部空間を原液溜まり室１１と、ろ液集合室１２とに仕切っている。仕切部材１３は、平坦な板状の部材により構成されている。仕切部材１３には、複数の穴が形成されており、この穴が第１ろ材４０の上端をなす他端部を取り付けるための取付部として構成されている。また、これらの穴は、第１ろ材４０の内部とろ液集合室１２とを連通させている。
【００６４】
また、仕切部材１３は、圧縮空気導入口２２が取り付けられる圧縮空気導入口２２取付穴が形成されている。この圧縮空気導入口２２取付穴は、ろ液集合室１２側に設けられた圧縮空気導入口２２から導入された圧縮空気を原液溜まり室１１へ送り込むために形成されている。
【００６５】
［第１ろ材］
第１ろ材４０は、タンク１０の内部空間に複数設けられている。各第１ろ材４０は細長い円筒状をなしている。第１ろ材４０の長手方向の一端は閉じられた閉端部４１として構成され、他端は開かれた開端部４２として構成されている。そして、周面は原液を通してろ過するための通液部４３として構成されている。各第１ろ材４０は、長手方向の一端をなす閉端部４１を下側に向け、長手方向の他端をなす開端部４２を上側に向けた態様で仕切部材１３にそれぞれ取り付けられることによって、前記仕切部材１３に吊り下げられている。各第１ろ材４０は、仕切部材１３に形成された複数の穴にそれぞれ通されて仕切部材１３に取り付けられている。
【００６６】
各第１ろ材４０の他端をなす開端部４２は、開かれているので、仕切部材１３に取り付けられた各第１ろ材４０の内部は、ろ液集合室１２にそれぞれ連通される。
【００６７】
この第１ろ材４０は、例えば、コアをなす筒状の部材に素線を巻き付けることによって構成される。
【００６８】
第１ろ材４０は、上述したように、原液をろ過する際に、第１ろ材４０を単独で用いるのではなく、ろ材の周面に助剤をプレコートして使用する。助剤をプレコートして用いた場合、プレコートをしないで第１ろ材４０を単独で使用した場合に比べて、小さな粒径の固形物を捕捉することが可能になる。また、固形物が第１ろ材４０に直接に接触しないので、目詰まりの進行を遅くすることができる。
【００６９】
［第２ろ材］
第２ろ材４５の基本構造は第１ろ材４０の構造と同様である。すなわち、第２ろ材４５は、細長い円筒状をなし、その長手方向の一端は閉じられた閉端部４６として構成され、他端は開かれた開端部４７として構成されている。そして、第２ろ材４５の周面は原液を通してろ過するための通液部４８として構成されている。
【００７０】
第２ろ材４５は、第１ろ材４０よりも下方の位置に複数設けられている。具体的に、原液溜まり室１１の下部にて導入口２１の真上の位置に設けられている。第２ろ材４５は、長手方向の一端をなす閉端部４６を上側に向け、長手方向の他端をなす開端部４７を下側に向けることにより垂直に立てられており、導入口２１の真上に複数配置されている。各第２ろ材４５の開端部４７には、回収口３３がそれぞれ接続されており、各第２ろ材４５によってろ過されたろ液をろ過装置１の外部に流出している。これらの第２ろ材４５の上方及び周囲は、後述するカバー５０により囲まれている。
【００７１】
こうした第２ろ材４５は、導入口２１の真上に配置されているので、導入口２１から助剤が原液溜まり室１１に導入された際、第２ろ材４５の表面には助剤がプレコートされる。また、第２ろ材４５は、第１ろ材４０よりも下方且つ原液溜まり室１１の下部に配置されているので、メインのろ過処理が終了した後に、原液溜まり室１１に残留している原液をろ過することができる。
【００７２】
［カバー］
カバー５０は、第２ろ材４５の上方及び周囲を囲む構造体である。メインのろ過処理が終了した後に、原液溜まり室１１に残留している原液を第２ろ材４５でろ過する際に、タンク１０の内部に送り込まれた圧縮空気が原液に混入されたままろ過してしまうことを、防止している。また、圧縮空気がタンク１０に送り込まれたときに、第１ろ材４０の表面をプレコートしている助剤が剥離して原液に混入した場合に、このカバー５０は、剥離した助剤をブロックし、第２ろ材４５の位置まで到達することを防止している。
【００７３】
カバー５０は、図２に示すように、複数の第２ろ材４５の全体の周りを囲む周面部５１と、複数の第２ろ材４５の上方で第２ろ材４５の全体を覆う上面部５２と、により構成されている。
【００７４】
周面部５１ｂの下端とタンク１０の底面部１０ａとの間には、図１に示すように、隙間が形成されている。この隙間は、原液が、カバー５０の内側と外側との間を自由に流れることができるように形成したものである。そのため、導入口２１から原液溜まり室１１に導入された原液は、隙間を通り、カバー５０の内側から外側に流れ、原液溜まり室１１の全体に満たされる。また、原液溜まり室１１に残留する原液は、カバー５０の外側から内側に流れ込み、第２ろ材４５によりろ過される。
【００７５】
上面部５２は、カバー５０の内外を連通する連通口５３と、この連通口５３を開閉するための開閉用スプール５４とを備えている。この上面部５２は、周面部５１との境界から連通口５３が形成された部分に向かって徐々に高くなる傾斜面により構成されている。
【００７６】
上面部５２は、具体的に、径方向の外側から中央に向かうにしたがって、徐々に高さが高くなるように形成されており、中央の位置が上面部の最も高い頂部を構成している。連通口５３は、中央の頂部の位置に形成されている。この連通口５３は、カバー５０の内部に残留するエアをカバー５０の外に放出するためのエア抜きとして機能する。
【００７７】
開閉用スプール５４は、カバー５０の内部に存在する原液の液位に応じて浮き沈みするフロートが利用されており、カバー５０の内部に存在する原液の液位に応じて連通口５３を開閉している。
【００７８】
すなわち、原液溜まり室１１に原液が導入され、原液の液位が徐々に上昇するにしたがい、開閉用スプール５４は、原液によって次第に押し上げられる。この間、開閉用スプール５４は、連通口５３の位置まで上昇していないので、連通口５３は開いている。そして、原液の液位が一定の高さになり、カバー５０の内部に原液が十分に満たされると、開閉用スプール５４が連通口５３の位置に到達し、連通口５３を閉じる。一方、原液溜まり室１１を満たしていた原液が第２ろ材４５にろ過されて、回収口３３からろ液が流出されると、原液の液位は徐々に低下する。ただし、原液の液位が一定の高さまで低下するまでは、カバー５０の内部には原液が十分に満たされているので、開閉用スプール５４が連通口５３を閉じた状態は維持される。そして、原液の液位が一定の高さよりも低くなると、カバー５０の内部の原液の液位も低下する。そのため、原液により押し上げられていた開閉用スプール５４は原液の液位の低下に応じて下がる。開閉用スプール５４が下がることにより、連通口５３と開閉用スプール５４との間に隙間が形成され、連通口５３が開かれる。
【００７９】
［ろ過装置の動作及び作用］
次に、図３から図７を参照し、本実施形態のろ過装置１の動作及び作用について説明する。
【００８０】
このろ過装置１では、図３に示すように、ろ過装置１のタンク１０の下側に位置する原液溜まり室１１に、珪藻土等の助剤が供給され、第１ろ材４０及び第２ろ材４５の周面に助剤がそれぞれプレコートされる。
【００８１】
プレコートを行う工程では、適切な流量の助剤を含む液体が助剤供給手段７１からろ過装置１の原液溜まり室１１の内部に供給される。助剤を含む液体の流量は、助剤供給手段７１が備える流量制御手段８１がポンプ８０の吐出量を制御することによって行われる。
【００８２】
助剤は、タンク１０の底面部１０ａに設けられた導入口２１から導入される。プレコートを行う工程では、タンク１０の内部には空気が存在する。空気が存在したままの状態で、第１ろ材４０及び第２ろ材４５の表面を助剤でプレコートした場合、ムラが発生するおそれがある。そのため、プレコートを行う工程では、原液溜まり室１１の上部に設けられたエア抜き口３２の開閉バルブ６０を開き、原液溜まり室１１に存在する空気を原液溜まり室１１から排出しながら行う。
【００８３】
プレコートが終了した後、エア抜き口３２の開閉バルブ６０を閉じ、次いで、図４に示すように、原液が原液溜まり室１１に供給される。
【００８４】
原液は、原液供給手段７２の流量制御手段８１によってポンプ８０の吐出量が制御され、所定の流量が原液供給手段７２から供給されるようにして流量を調整して原液溜まり室１１に導入される。原液が原液溜まり室１１に導入されると、原液の液位は徐々に上昇する。原液の液位が上昇し、一定の高さの位置を通過するまでは、カバー５０に設けられた開閉用スプール５４は、カバー５０の上面部に形成された連通口５３を閉じていないので、カバー５０の内部に存在する空気は、連通口からカバー５０の外部に排出される。そして原液の液位が上昇して一定の高さの位置を通過した後では、開閉用スプール５４が連通口５３を閉じる。
【００８５】
原液溜まり室１１の内部に導入された原液は、図５に示すように、第１ろ材４０及び第２ろ材４５によりろ過される。
【００８６】
各第１ろ材４０において、原液は、周面の通液部４３を通り、各第１ろ材４０の外側から内側に流れ込む。原液が通液部４３を通過する際に原液に含まれる不要な固形物等がろ過され、ろ液が各第１ろ材４０の内部に流れ込む。各第１ろ材４０の内側に流れ込んだろ液は各第１ろ材４０の上端部、すなわち、長手方向の他端をなす開端部４２を通り、ろ液集合室１２に集められる。その後、ろ液は、ろ液流出口３１からろ液集合室１２の外部に流出され、所定の場所に回収される。
【００８７】
一方、複数の第２ろ材４５においても、原液は、周面の通液部４８を通り、各第２ろ材４５の外側から内側に流れ込みろ過される。各第２ろ材４５の内側に流れ込んだろ液は、各第２ろ材４５の下端部をなす開端部４７を通り、回収口３３から原液溜まり室１１の外部に流出される。その後、ろ液は、所定の場所に回収される。
【００８８】
原液が回収口３３から流出し、回収手段７５によって所定の場所に回収される際、回収手段７５が備える流量制御手段９５は、回収口３３から流出されるろ液の流量を調整している。すなわち、回収口３３から流出されるろ液の流量を小さくし、第２ろ材４５にかかる負荷を小さくしている。第２ろ材４５にかかる負荷を小さくすることにより、回収する際に第２ろ材４５が目詰まりを起こすことを抑制している。
【００８９】
以上のようにしてメインのろ過処理を実行した後、原液溜まり室１１には、原液が残存している。残存する原液は、図６に示すように、第２ろ材４５を利用してろ過する。
【００９０】
残存する原液をろ過する処理では、圧縮空気供給手段７３から圧縮空気をタンク１０の内部に供給し、タンク１０の内圧を上昇させ、原液を第２ろ材４５に送り込むことにより実行する。タンク１０に送り込まれる圧縮空気の圧力は、圧縮空気供給手段７３が備える圧力設定手段９０によって予め設定される。一方、回収手段７５では、流量制御手段９５によって、原液溜まり室１１から流出されるろ液の流量が調整される。
【００９１】
圧縮空気がタンク１０内に送り込まれると、原液溜まり室１１に残留している原液は、圧縮空気によって押し下げられる。そのため、原液は、カバー５０の周囲を回り込み、カバー５０の周面部１０ｂとタンク１０の底面部１０ａとの間に形成された隙間からカバー５０の内部に送られる。なお、圧縮空気がタンク１０の内部に送り込まれると、圧縮空気は原液溜まり室１１に残留している原液に混入してしまう。この混入した圧縮空気は、原液がカバー５０を回り込んで隙間からカバー５０の内側に送られるときに、原液から脱気される。その結果、カバー５０の内部には、圧縮空気が混入していない原液が送り込まれる。
【００９２】
カバー５０の内側に送られた原液は、第２ろ材４５の外側から通液部４３を通過してろ過され、ろ液が第２ろ材４５の内側に送られる。ろ液は、第２ろ材４５から回収口３３に送られ、回収口３３から原液溜まり室１１の外部に流出される。その際、ろ液の流量が回収手段７５の流量制御手段９５によって調整されているので、第２ろ材４５にかかる負荷が低減される。
【００９３】
原液溜まり室１１に残存する原液をろ過する処理で、タンク１０の内部に圧縮空気が送り込まれると、圧縮空気の影響を受けて第１ろ材４０の表面にプレコートされた助剤が剥離する。圧縮空気によって原液が押し下げられ、液位が低下しても、液位が所定の高さの位置よりも高い場合、カバー５０に設けられた開閉用スプールは、連通口を閉じている。そのため、助剤が第１ろ材４０から剥離した場合でも、カバー５０は、剥離した助剤がカバー５０の内部に浸入することを防止し、剥離した助剤が第２ろ材４５に到達してしまうことを抑制することができる。
【００９４】
以上のようにして原液溜まり室１１に残留していた原液をろ過して回収した後、図７に示すように、原液溜まり室１１に残留する残留物を排出する。残留物の排出は、残留物排出口３４を利用して実行する。具体的に、残留物の排出は、残留物排出口３４の先端に設けられた開閉バルブ６０を開き、タンク１０の内圧を利用して残留物をタンク１０の下側から押し出すようにして行われる。この際、残留物が導入口２１から原液供給手段７２及び助剤供給手段７１に逆流することがないように、導入口２１に設けられた開閉バルブ６０を必ず閉じておく。
【００９５】
以上に説明した作用の他に、本実施形態のろ過装置１は、エア抜き口３２を利用してろ過する工程を追加的に実行することができる。具体的に、タンク１０原液溜まり室１１に溜まった原液は、圧縮空気をタンク１０内に送り込んだときに、圧縮空気と共にエア抜き口３２から排出される。圧縮空気がタンク１０に送り込まれ、第１ろ材を通過する際に、第１ろ材の表面に付着している助剤が第１ろ材から剥離してしまうことがある。エア抜き口３２から原液を排出する場合、剥離した助剤も原液と共にエア抜き口３２から排出される。そのため、剥離した助剤が第２ろ材に詰まる等して第２ろ材に悪影響を与えることを抑制することが可能となる。タンク１０から排出された原液は、図示しない貯留タンクにためられる。図示しない貯留タンクにためられた原液は、ポンプ８０によって再びタンク１０に送り込まれる。タンク１０に再び送り込まれた原液は、第２ろ材４５によりろ過されて、ろ過された後の液が回収口３３からタンク１０の外に排出される。排出された液は、回収される。
【００９６】
以上に説明したろ過装置１によれば、原液に圧縮空気が混ざり合うことを抑制しつつ、タンク１０の内部が加圧された状態で原液を回収することができる。また、助剤の層が破壊されたとしても助剤等が混入していない原液を回収することができる。
【符号の説明】
【００９７】
１  ろ過装置
１０  タンク
１０ａ  底面部
１０ｂ  周面部
１０ｃ  天面部
１１  原液溜まり室
１２  ろ液集合室
１３  仕切部材
２１  導入口
２１ａ  第１配管
２１ｂ  第２配管
２２  圧縮空気導入口
２２ａ  第１配管
２２ｂ  第２配管
３１  ろ液流出口
３１ａ  第１配管
３１ｂ  第２配管
３２  エア抜き口
３３  回収口
３４  残留物排出口
４０  第１ろ材
４１  閉端部
４２  開端部
４３  通液部
４５  第２ろ材
４６  閉端部
４７  開端部
４８  通液部
５０  カバー
５１  周面部
５２  上面部
５３  連通口
５４  開閉用スプール
６０  開閉バルブ
７１  助剤供給手段
７２  原液供給手段
７３  圧縮空気供給手段
７４  ろ液を回収するための回路
７５  回収手段
７６  残留物排出手段
８０  ポンプ
８１  流量制御手段
８２  インバータ
８３  コントローラ
８４  流量計
９０  圧力設定手段
９１  圧力計
９２  リリーフバルブ
９５  流量制御手段
９６  流量計
９７  コントローラ
９８  流量調整弁
【図１】
0006723551.tif 000002
【図２】
0006723551.tif 000003
【図３】
0006723551.tif 000004
【図４】
0006723551.tif 000005
【図５】
0006723551.tif 000006
【図６】
0006723551.tif 000007
【図７】
0006723551.tif 000008